【手続補正書】
【提出日】平成21年1月21日(2009.1.21)
【手続補正１】
【補正対象書類名】特許請求の範囲
【補正対象項目名】全文
【補正方法】変更
【補正の内容】
【特許請求の範囲】
【請求項１】
色空間の補間値を決定する色処理方法であって、
入力値を包囲する単位超立方体を生成し、
前記単位超立方体に境界条件の集合を与え、
投影が前記境界条件の一つを満たすまで、前記単位超立方体の異なる頂点から前記入力値を介して前記単位超立方体の境界へ重心投影を行い、
前記重心投影を用る後退代入によって前記補間値を決定することを特徴とする色処理方法。
【請求項２】
前記境界条件は、前記単位超立方体の第一の面に関連する第一の連続境界条件と、前記単位超立方体の第二の面に関連する第二の連続境界条件を含み、
前記第一および第二の連続境界条件は、前記第一の面と前記第二の面の交差において一致することを特徴とする請求項1に記載された色処理方法。
【請求項３】
さらに、前記入力値を囲む単体を決定し、
前記単体は前記単位超立方体により包囲され、
前記単体の頂点を使用して前記重心投影を行うことを特徴とする請求項1に記載された色処理方法。
【請求項４】
さらに、前記単位超立方体の異なる頂点から中間の値を介して前記単位超立方体の境界へ前記重心投影を行い、前記中間の値は前の重心投影から決定されることを特徴とする請求項1に記載された色処理方法。
【請求項５】
色空間の補間値を決定する色処理装置であって、
入力値を囲む単位超立方体を生成する生成手段と、
前記単位超立方体に境界条件の集合を与える手段と、
投影が前記境界条件の一つを満たすまで、前記単位超立方体のそれぞれ異なる頂点から前記入力値を介して前記単位超立方体の境界へ重心投影を行う実行手段と、
前記重心投影を用いる後退代入により前記補間値を決定する決定手段とを有することを特徴とする色処理装置。
【請求項６】
n次元の色空間における単位超立方体に亘り、かつ、各ルックアップテーブルは前記n次元の色空間から第二の色空間へ写像する、ルックアップテーブルの集合を生成する色処理方法であって、
k=3からnである各次元kについて、n個からk個を選択するルックアップテーブルの階層集合体を定義し、各ルックアップテーブルはk個の入力を有し、少なくとも幾つかのルックアップテーブルは他のルックアップテーブルと異なる格子の構造を有し、高次元のルックアップテーブルの前記格子の構造の密度を低次元のルックアップテーブルよりも低くして、前記n次元の色空間における階層集合体の集合を定義し、
前記第二の色空間の値を使用して、前記ルックアップテーブルを生成することを特徴とする色処理方法。
【請求項７】
k=4の場合、少なくとも一つのルックアップテーブルは閉じており、他のすべてのルックアップテーブルは開いていることを特徴とする請求項6に記載された色処理方法。
【請求項８】
閉じた前記各ルックアップテーブルの格子の構造は均一であり、開いた前記各ルックアップテーブルの格子の構造は不均一であることを特徴とする請求項7に記載された色処理方法。
【請求項９】
さらに、前記階層集合体を使用する色変換を行い、
前記色変換は、任意の閉じたルックアップテーブルと開いたルックアップテーブルの内部において、第一の補間処理を用いて入力色値に対する出力色値を補間し、
開いたルックアップテーブルと低次元の部分空間の間の空間において、前記第一の補間処理より計算が複雑な第二の補間処理を用いて入力色値に対する出力色値を補間することを特徴とする請求項6に記載された色処理方法。
【請求項１０】
n次元の色空間における単位超立方体に亘り、かつ、各ルックアップテーブルは前記n次元の色空間から第二の色空間へ写像する、ルックアップテーブルの集合を生成する色処理装置であって、
k=3からnである各次元kについて、n個からk個を選択するルックアップテーブルの階層集合体を定義し、各ルックアップテーブルはk個の入力を有し、少なくとも幾つかのルックアップテーブルは他のルックアップテーブルと異なる格子の構造を有し、高次元のルックアップテーブルの前記格子の構造の密度を低次元のルックアップテーブルよりも低くして、前記n次元の色空間における階層集合体の集合を定義する定義手段と、
前記第二の色空間の値を使用して、前記ルックアップテーブルを生成する手段とを有することを特徴とする色処理装置。
【請求項１１】
コンピュータに、請求項1から請求項4および請求項6から請求項9の何れか一項に記載された色処理を実行させることを特徴とするプログラム。
【手続補正２】
【補正対象書類名】明細書
【補正対象項目名】発明の名称
【補正方法】変更
【補正の内容】
【発明の名称】色処理方法およびその装置
【手続補正３】
【補正対象書類名】明細書
【補正対象項目名】０００１
【補正方法】変更
【補正の内容】
【０００１】
本発明は、ルックアップテーブルを用いて値を補間する高次元色空間における色変換に関する。
【手続補正４】
【補正対象書類名】明細書
【補正対象項目名】００１７
【補正方法】変更
【補正の内容】
【００１７】
従って、演算が扱い易く、さらに、幾何学的に複雑なルックアップテーブルを管理して、正確な色変換をもたらす、多数の入力チャネルを有するカラープリンタ用の色変換システムが要求される。本発明は、そのような色変換が可能な色処理を提供することを目的とする。
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】変更
【補正の内容】
【００１９】
本発明は、前記の目的を達成する一手段として、以下の構成を備える。
【手続補正７】
【補正対象書類名】明細書
【補正対象項目名】００２０
【補正方法】変更
【補正の内容】
【００２０】
本発明にかかる色処理は、色空間の補間値を決定する際に、入力値を包囲する単位超立方体を生成し、前記単位超立方体に境界条件の集合を与え、投影が前記境界条件の一つを満たすまで、前記単位超立方体の異なる頂点から前記入力値を介して前記超立方体の境界へ重心投影を行い、前記重心投影を用る後退代入によって前記補間値を決定することを特徴とする。
【手続補正８】
【補正対象書類名】明細書
【補正対象項目名】００２１
【補正方法】変更
【補正の内容】
【００２１】
また、n次元の色空間における単位超立方体に亘り、かつ、各ルックアップテーブルは前記n次元の色空間から第二の色空間へ写像する、ルックアップテーブルの集合を生成する際に、k=3からnである各次元kについて、n個からk個を選択するルックアップテーブルの階層集合体を定義し、各ルックアップテーブルはk個の入力を有し、少なくとも幾つかのルックアップテーブルは他のルックアップテーブルと異なる格子の構造を有し、高次元のルックアップテーブルの前記格子の構造の密度を低次元のルックアップテーブルよりも低くして、前記n次元の色空間における階層集合体の集合を定義し、前記第二の色空間の値を使用して、前記ルックアップテーブルを生成することを特徴とする。
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】
【手続補正２０】
【補正対象書類名】明細書
【補正対象項目名】００３３
【補正方法】削除
【補正の内容】